(57)【要約】【課題】従来のカメラ撮影装置では、設置時にカメラの撮影位置を用意に調整するためには、ファインダの覗き窓または撮影した画像を表示する表示装置を設けなければ確認できず、そのようなものがない場合は、位置や距離が正しくあっているかどうか判断できないという課題があった。【解決手段】撮影部と可視光照射部はカメラ撮影装置本体内部に位置を固定された状態としたカメラ撮影装置が被写体の撮影したい撮影範囲が撮影部に撮影されるように位置調整部でカメラ撮影装置本体を動かして位置調整をおこなうために、可視光照射部から可視光を照射し、被写体撮影範囲に可視光が照射されるようにすることで位置調整をできるようにした。【選択図】  図１
2004191457.tif 000002
【特許請求の範囲】
【請求項１】
被写体を撮影して撮影画像を電気信号として外部へ送信する撮影部と、前記撮影部で撮影する前記被写体の撮影範囲の少なくとも一部を可視光照射する可視光照射部とを有するカメラ撮影装置本体と、前記カメラ撮影装置本体を固定するカメラ固定部と、前記カメラ撮影装置本体と前記カメラ固定部との間に、前記カメラ撮影装置本体の取り付け位置を調整する位置調整部とを備えたカメラ撮影装置。
【請求項２】
被写体を撮影して撮影画像を電気信号として外部へ送信する撮影部と、前記撮影部で撮影する前記被写体の撮影範囲の少なくとも一部を可視光照射する可視光照射部と、前記可視光照射部からの可視光照射をＯＮさせる可視光照射スイッチとを有するカメラ撮影装置本体と、前記カメラ撮影装置本体を固定するカメラ固定部と、前記カメラ撮影装置本体と前記カメラ固定部との間に、前記カメラ撮影装置本体の取り付け位置を調整する位置調整部とを備えたカメラ撮影装置。
【請求項３】
可視光照射スイッチが押されている間だけ可視光が照射されるようにした請求項２記載のカメラ撮影装置。
【請求項４】
可視光照射部は、前記可視光照射部から照射される可視光を、所定の距離に集光するようにした請求項１から３のいずれかに記載のカメラ撮影装置。
【請求項５】
可視光照射部は、可視光を集光する所定の距離を複数の段階に切替可能とした距離切替部を設けた請求項４に記載のカメラ撮影装置。
【請求項６】
可視光照射部は、可視光光源として発光ダイオードを用いる請求項１から５のいずれかに記載のカメラ撮影装置。
【請求項７】
可視光照射部は、可視光光源として外部からの照明用電灯の照明を用いる請求項１から５のいずれかに記載のカメラ撮影装置。
【請求項８】
可視光照射部は、可視光光源と反射ミラーを備え、前記可視光光源から照射される可視光を前記反射ミラーで反射させて照射させる請求項１から７のいずれかに記載のカメラ撮影装置。
【請求項９】
カメラ撮影装置本体に電力線通信装置を搭載し撮像データを電力線を介して送信するようにした請求項１から８記載のカメラ撮影装置。
【請求項１０】
被写体を撮影して撮影画像を電気信号として外部へ送信する撮影部と、前記撮影部で撮影する前記被写体の撮影範囲の少なくとも一部を可視光照射する可視光照射部とを有するカメラ撮影装置本体と、前記カメラ撮影装置本体を固定するカメラ固定部と、前記カメラ撮影装置本体と前記カメラ固定部との間に、前記カメラ撮影装置本体の取り付け位置を調整する位置調整部とを備えたカメラ撮影装置と、前記カメラ撮影装置と接続し、前記撮影部から送信される撮影画像データを入力して明るさ、色合い、彩度等の信号処理し、通信網を用いて前記撮影画像データを送信するゲートウェイ装置とを有する通信システム。
【請求項１１】
カメラ撮影装置本体に電力線通信装置を搭載し撮像データを電力線を介してゲートウェイ装置に送信するようにした請求項１０記載のカメラ撮影装置を用いた通信システム。
【発明の詳細な説明】
【０００１】
【発明の属する技術分野】
本発明は、カメラ撮影装置に簡易的なファインダー機能として用いられるものであって、撮影被写体の位置を容易に正確に合わせるようにするカメラ撮影装置に関する。
【０００２】
【従来の技術】
従来のカメラ撮影装置について示したものに、例えば特許文献１で開示された技術がある。図８に特許文献１に記載された従来例の構成図を示す。
【０００３】
図８において、１００はカメラ本体で、１０１はカメラの撮影をおこなう撮影部、１０２はカメラの背面側から撮影する被写体２００を覗き込むファインダ調整窓部で、１０３は撮影するレンズである。
【０００４】
以下にその動作について説明する。ファインダ調整窓部１０２から撮影者が覗き込み、被写体２００の撮影したい範囲がファインダ調整窓１０２で覗ける範囲に収まるように撮影者がカメラ本体１００を調整し、撮影者が撮影指令をおこなうことで撮影部１０１で被写体２００を撮影する。
【０００５】
また、図９に示す別の従来例は、最近のパーソナルコンピュータとの接続を前提としたカメラ装置を示すものであって、１００はカメラ本体で、１０１はカメラの撮影をおこなう撮影部、１０４は撮影部と外部のホスト機器との接続をおこなうインターフェース部で、１０５は外部のホスト機器である。
【０００６】
以下にその動作について説明する。カメラ本体部１００からインターフェース部１０４を介して外部のホスト機器１０５に接続し、カメラの撮影部１０１で撮影した撮影画像をホスト機器１０５に表示する。そして、撮影した画像をホスト機器１０５に表示させ、その表示を見ながら、撮影したい被写体を撮影できるようになるまでカメラ本体部１００の位置や方向を調整するものである。なお、ホスト機器１０５はパーソナルコンピュータのような表示装置を備えたものである。
【０００７】
【特許文献１】
特開平０８−９５１３８号公報（図１）
【０００８】
【発明が解決しようとする課題】
しかしながら、上述したカメラ撮影装置では、設置時にカメラの撮影位置を外部にホスト機器とその表示をするものがなければ確認することが出来ない。また、カメラ本体の背面にファインダを設け、覗き窓を備えれば確認できるが、人間がカメラ背面から覗き込まなければならず、背面に壁などの障害物があれば覗き込むことができない。また、カメラの本体にそのような覗き窓やホスト機器がない場合には被写体の位置調整や距離を調整できているのかどうかという判断ができず、自由なアングルで撮影するのに支障をきたすという問題点があった。
【０００９】
【課題を解決するための手段】
上記課題を解決するために、本発明のカメラ撮影装置は、被写体を撮影して撮影画像を電気信号として外部へ送信する撮影部と、可視光を外部に照射する可視光照射部とを有するカメラ撮影装置本体と、前記カメラ撮影装置本体を固定するカメラ固定部と、前記カメラ撮影装置本体と前記カメラ固定部との間に、前記カメラ本体の取り付け位置を調整する位置調整部とを備える構成としたものである。
【００１０】
さらに、本発明のカメラ撮影装置は、カメラ撮影装置本体に前記可視光照射部からの照射をＯＮさせる可視光照射スイッチを有し、可視光照射スイッチが押されている間だけ可視光が照射される構成としたものである。
【００１１】
さらに、本発明のカメラ撮影装置と、本発明のカメラ撮影装置と接続し、撮影画像データを明るさ、色合い、彩度等の信号処理し、通信網を用いて外部へ撮影画像データを送信するゲートウェイ装置とを有する通信システムとしたものである。
【００１２】
【発明の実施の形態】
以下に、本発明の実施の形態を図面を参照して説明する。
【００１３】
（実施の形態１）
図１は本実施の形態における、カメラ撮影装置およびそれを用いた通信システムの構成を示す構成図であり、２００は撮影する被写体、２００ａは被写体２００のうち撮影したい撮影範囲、２０はカメラ撮影装置本体を示す。カメラ撮影装置本体２０には、撮影部１、可視光照射部２が固定して設置されている。そして撮影部１は、撮影画像を電気信号に変換するものであり、この時、可視光照射部２が被写体２００に向かって照射した可視光２ａが、撮影したい撮影範囲２００ａの少なくとも一部を撮影部１で撮影する撮影範囲２００ａに一致または少なくとも撮影範囲の一部を照射するようにしたものである。
【００１４】
またカメラ撮影装置本体２０は、可視光照射部２の可視光光源１３から被写体２００に可視光２ａを照射する可視光照射スイッチ３を有している。可視光照射スイッチ３は、ＯＮとＯＦＦの切替部を有し、ＯＮすることで被写体２００に可視光２ａを照射し続け、ＯＦＦすることで照射を停止するスイッチである。なお、この可視光照射スイッチ３は、ＯＮスイッチだけを有し、ＯＮしているときだけ被写体２００に可視光２ａを照射するものであってもよい。また、４はカメラ撮影装置本体２０の取付け位置を調整する位置調整部、５はカメラ本体を位置調整部４で調整した後にその位置に固定するカメラ固定部である。
【００１５】
このような本実施の形態におけるカメラ撮影装置の動作について説明する。カメラ撮影装置本体２０内部には、撮影部１と可視光照射部２がその内部に位置を固定された状態で配置されている。そして撮影時には、事前に可視光照射スイッチ３をＯＮにし、可視光照射部２から可視光２ａを照射させる。この時、被写体２００の撮影したい撮影範囲２００ａの少なくとも一部に可視光が照射されるように位置調整部４でカメラ撮影装置本体２０の位置調整をする。このようにして、可視光２ａで照射した撮影範囲２００ａが撮影部１に撮影されるように位置調整部４でカメラ撮影装置本体２０を動かしてその位置調整を行なう。さらにはその調整後、カメラ固定部５により、調整された位置がずれないように位置調整部４およびカメラ撮影装置本体２０を固定する。
【００１６】
このようなカメラ装置の構成について図２の具体的な実施例を用いて説明する。図２は本発明の実施の形態におけるカメラ装置の一実施例を示す図であり、図２（ａ）は平面図、（ｂ）は正面図を示す。２０はカメラ撮影装置本体であり、１ａは撮影窓を示す。図示しないが撮影部１と可視光照射部２は、カメラ装置本体撮影窓２０内部に撮影窓１ａの奥に固定されて配置されている。また４はカメラ撮影装置本体２０の位置を調整する位置調整部であり、６は位置調整した後カメラ装置本体２０を図示しない取りつけ台などに固定する固定台である。なお、本実施例では位置調整部４は、図２（ｂ）で示すように、カメラ装置本体２０の２０ａで示す方向の角度調整を行ない、調整固定ねじ４ａで固定する例を示しているが、位置調整部４による位置調整方法は本実施例による方法に限定するものではなく、２０ａで示す方向と垂直な方向の角度あるいは、３６０度自由な方向に角度調整できる位置調整方法、または、高さ方向に自由に伸縮できる位置調整方法などいずれかまたはすべてを備えたものであってもよい。本実施の形態におけるポイントは、撮影したい範囲の少なくともいずれかを可視光照射することで、カメラ装置の設置者に撮影範囲を知らせ、適正な位置にカメラ装置が設置できるようにするものである。
以上により、本実施の形態では、可視光照射部２から照射される可視光２ａを被写体２００の撮影範囲２００ａに一致した範囲または少なくとも一部を照射させるようにカメラ撮影装置本体２０の位置を調整することで、容易に撮影部１に被写体２００を撮影させることができる。また、可視光照射スイッチ３を動作させることで可視光を容易に照射、停止することができる。さらにカメラ固定部５によりカメラ撮影装置２０の本体を動かして調整した位置調整部４とカメラ撮影装置２０がずれないように固定することができ、安定した撮影ができる。
【００１７】
すなわち、本実施の形態においては、可視光照射部を設け、可視光を照射し、位置調整部でカメラ撮影装置本体を動かし、固定部でその位置を固定することで、人が覗き込まない状態で容易に被写体に撮影位置を合わせることができるとともにその位置を調整後固定し位置ずれを起さないようにすることができ、人が持ったままの状態でなくても撮影が可能となる設置性の向上という効果を奏する。
【００１８】
また、本実施の形態においては、可視光照射部にスイッチを設けることで被写体を撮影部に位置調整する必要があるときにＯＮし、調整が済んだ後でＯＦＦすることができ無駄な可視光の照射をする必要がなく作業性が改善するという効果を有する。また、スイッチをＯＮ／ＯＦＦの押印時のみＯＮするものとすることで、作業者がスイッチを押しながら調整し、スイッチを離すことで可視光をＯＦＦすることができ、可視光の照射消し忘れや作業者が可視光の光が無駄に発光されたり、撮影周辺の人の目に不用意に可視光を照射しないという安全性、調整作業向上という効果を奏する。
【００１９】
（実施の形態２）
図３は本実施の形態における、カメラ撮影装置の構成を示す構成図である。
６はカメラ撮影装置本体と接続し、カメラ撮影装置に対して画像取得や画像データに対して明るさ、色合い、彩度等の信号処理を制御し、撮影した画像を他の通信網を介してその撮影画像を他の装置に送信するゲートウェイ装置である。
【００２０】
また、可視光照射部２は、可視光光源１３から照射する可視光２ａを所定の距離に集光させ、さらにその集光する距離を段階的に切り替える距離切替部８を備えている。その他の構成は実施の形態１と同じなので、説明は省略する。
次に、このような構成の本実施の形態のカメラ撮影装置の動作について説明する。カメラ撮影装置２０において、可視光光源１３からの可視光２ａがちょうど撮影したい被写体２００に集光するように距離切替部８により集光するまでの距離を切替える。さらにその状態で固定可視光照射部７の可視光を照射し、カメラ装置本体２０の左右上下等の位置調整をおこなう。このように本実施の形態では、被写体２００に可視光の光が集光した状態で確実に焦点位置を確認できるようにした上で、位置調整をおこなうことができるようにした。
【００２１】
また、撮影したい撮影範囲２００ａを可視光２ａで照射することにより、位置調整および位置固定したカメラ撮影装置本体２０の撮影部１で撮影範囲２００ａを撮影した画像データを、他の通信網に接続されたゲートウェイ６に送信し、その送信された画像データをゲートウェイ装置６は、他の通信網を介して携帯電話やパソコン装置に画像データを送信する。そして、その画像を離れた場所で、撮影された画像を確認できるようにしたものである。なお、撮影された画像を確認する装置としてはインターネット網を介して確認できる装置であってもよく、また撮影した画像を確認するだけでなく蓄積する装置に送信することであっても良い。また、ゲートウェイ装置６は、撮影した画像を画像信号処理により明るさ、色合い、彩度等の画質調整を行なう。
以上により、本実施の形態では、被写体２００がカメラ撮影装置２０からどのような距離にあっても切替部８により可視光の集光距離を切替えることで、被写体２００を撮影部１に一致するように位置調整するに際し、容易に確実におこなうことを実現する。また、可視光照射部２から照射される可視光を被写体２００に一致させるようにカメラ撮影装置本体２０の撮影位置を調整し、その位置をカメラ固定部５で固定することで安定した画像撮影をおこなうことができ、その撮影した画像をゲートウェイ６を介して他の装置に容易に送信し、その画像を離れた場所で確認することができ、画像信号処理により明るさ、色合い、彩度等の信号処理を行なって画質調整をゲートウェイ６側からカメラ撮影装置２０で撮影した画像に対しておこなうことが容易にできる。
【００２２】
なお、本実施の形態の別の実施例として、可視光照射部２の可視光光源１３に指向性の高い発光ダイオードを用いることにより、被写体２００とカメラ撮影装置２０との距離が離れていても可視光の照射光が常に集光した状態となり、容易にカメラ撮影装置２０を被写体２００に位置調整することができる。そして、このような構成とすることで、被写体２００とカメラ撮影装置２０との距離が変わっても切替部８を設けることなく常に位置調整が容易にできる。
【００２３】
また、本実施の形態では、ゲートウェイにカメラ撮影装置を接続することで、被写体に可視光を照射しながら位置調整して撮影した画像をゲートウェイに送信し、そのゲートウェイを介して他の通信網を利用して外部の装置にデータを送信することができ、容易に離れた場所から画像データを確認することができるという効果を奏する。
【００２４】
また、本実施の形態では、可視光照射部に複数の段階で可視光を集光するようにした切替部を設け、被写体とカメラ撮影装置との距離にあわせた位置に集光するように切替部を切替えることで、位置調整する際に確実に被写体に集光した可視光が照射され、容易に照射位置が判断できるという効果を奏する。
【００２５】
（実施の形態３）
図４は本実施の形態におけるカメラ撮影装置の構成を示す構成図である。１０は、カメラ撮影装置２０内部の撮影部１と垂直に位置する被写体２００を撮影するために反射させる反射ミラーである。その他の構成は実施の形態１と同じなので、説明は省略する。
【００２６】
次に、このような構成の本実施の形態の、カメラ撮影装置の動作について説明する。被写体２００に対して、その撮影部１と被写体２００とを反射させて撮影するために直角方向に反射ミラー１０を設置し、撮影部１に被写体２００が撮影されるように配置する。その状態で可視光照射部２も撮影部１と同様の方向に設置し、可視光照射部２から照射される可視光が反射ミラー１０に照射され、その反射した可視光が撮影部１の撮影する位置と同じ部分を照射するように配置され、カメラ撮影装置２０の内部に撮影部１と可視光照射部２と反射ミラー１０はカメラ撮影装置本体内部に位置関係を固定した構造となる。その状態でスイッチ３をＯＮすることで可視光照射部２から照射される可視光が反射ミラー１０を介して被写体２００に照射するようにカメラ撮影装置本体２０を動かして位置調整部４で調整し、カメラ固定部５で位置を固定する。
【００２７】
以上により、本実施の形態では、可視光照射部２を撮影部１と同じ状態に設置し、その方向に対して反射ミラー１０を異なる方向に固定し、同じ方向から可視光を照射することで反射ミラー１０を介して撮影する撮影画像をカメラ撮影装置２０を動かしながら確実に被写体２００に一致させることを実現する。
【００２８】
このように、反射ミラーに対し、撮影部と可視光照射部を同じ位置に配置し、撮影部の撮影方向と可視光の照射する位置が一致するように配置することで、反射ミラーを利用して可視光を照射することで、反射ミラーを介した撮影であっても確実に被写体を撮影部に撮影させることができ、反射ミラーと撮影部と可視光照射部の位置関係が固定された状態であることでカメラ撮影装置本体のみを動かすことで、位置調整が容易になるという効果を奏する。
【００２９】
（実施の形態４）
図５は本実施の形態における、カメラ撮影装置の構成を示す構成図である。１１は電力線を通信線として利用する電力線通信装置であり、カメラ撮影装置２０の内部に搭載可能なものである。また、本実施の形態は、可視光照射部２の可視光光源１３として照明用電灯を用いてできるようにした実施例を示すものであり、２ｂは照明用電灯を示すものである。その他の構成は実施の形態１と同じなので、説明は省略する。
【００３０】
次に、このような構成の本実施の形態の、カメラ撮影装置の動作について説明する。カメラ撮影装置２０において、撮影部１と可視光照射部２はカメラ撮影装置本体内部に位置を固定された状態としたカメラ撮影装置２０が被写体２００を撮影部１に撮影されるように位置調整部４でカメラ撮影装置本体２０を動かして位置調整をおこなうために、可視光照射スイッチ３をＯＮにし、可視光照射部２から可視光を照射し、被写体２００に可視光が照射されるようにカメラ撮影装置本体２０の位置調整をする。その調整後、固定部５は、調整された位置がずれないように位置調整部４とカメラ撮影装置２０を固定する。その状態で撮影した撮影画像データを電力線通信装置１１を用いて他の装置に送信する。電力線通信装置１１を利用することで新たな配線を利用せずにデータを他の装置に送信することができる。
【００３１】
以上により、本実施の形態では、電力線通信装置１１をカメラ撮影装置２０内部に搭載することで、新たな配線を設置することなく他の装置に画像データを送信することを実現する。また、外部の一般照明用に用いる照明用電灯１２を可視光光源１３として用いることで、特に発光ダイオードのような可視光光源を用いずとも容易に撮影範囲を照射することができる。
【００３２】
以上により、本実施の形態では、可視光照射部２を容易な一般照明の電灯にすることで可視光照射部をカメラ撮影装置２０に設けない状態で被写体２００に撮影部１を一致させることができる。
【００３３】
また、カメラ撮影部に電力線通信装置を内蔵させることで、撮影した画像を一般の電力線を利用して別の装置にデータを送信することができ、新たに配線を接続することを必要としない施工性を向上するという効果を奏する。
【００３４】
また、可視光照射部の可視光源をカメラ撮影装置の外部から一般の照明用電灯を位置調整部を利用して照射することで、可視光光源を設けずにカメラ撮影装置を設置する際に一般の照明用電灯を使用するだけで簡単に位置調整ができるという、低コスト化、施工性改善という効果を奏する。
【００３５】
【発明の効果】
以上説明したところから明らかなように、本発明は、人が覗き込まない状態で容易に被写体に撮影位置を合わせることができるとともにその位置を調整後固定し位置ずれを起さないようにすることができ、人が持ったままの状態でなくても撮影が可能となる設置性の向上という効果を奏するものである。
【図面の簡単な説明】
【図１】本発明の実施の形態１を示す構成図
【図２】本発明の実施の形態におけるカメラ装置を示す図
【図３】本発明の実施の形態２を示す構成図
【図４】本発明の実施の形態３を示す構成図
【図５】本発明の実施の形態４を示す構成図
【図６】第１の従来例を示す構成図
【図７】第２の従来例を示す構成図
【符号の説明】
１      撮影部
２      可視光照射部
３      可視光照射スイッチ
４      位置調整部
５      カメラ固定部
６      ゲートウェイ装置
７      固定可視光照射部
８      距離切替部
９      発光ダイオード
１０      反射ミラー
１１      電力線通信装置
１１ａ    電力線
１３      可視光光源
２０      カメラ撮影装置本体
２００    被写体
２００ａ  撮影範囲
【図１】
2004191457.tif 000003
【図２】
2004191457.tif 000004
【図３】
2004191457.tif 000005
【図４】
2004191457.tif 000006
【図５】
2004191457.tif 000007
【図６】
2004191457.tif 000008
【図７】
2004191457.tif 000009